(57)【要約】      （修正有）【課題】遠隔又は手動で定時に始動させて食品を加熱調理し、時間の利用効率の最大化を追求することができる食品調理装置を提供する。【解決手段】外ケース２００、冷蔵モジュール、第１熱供給源及び定時始動装置９００を含み、冷蔵モジュール、第１熱供給源及び定時始動装置の設計によりユーザーが容易く食物を冷蔵し、始動時間に熱供給源を始動して食物を調理することができる。【選択図】図１Ａ
0003157703.tif 000002
【実用新案登録請求の範囲】
【請求項１】
食品調理装置であって、
前扉と開口部、第１側壁、底面を有する空洞とを含み、前記開口部の底縁は前記底面に連接し、前記底面は前記開口部の底縁から延伸して前記第１側壁と連接し、前記前扉は前記空洞を密封して前記開口部の側縁と開いて連接する外ケースと、
前記空洞と前記外ケースの間に設置され、前記空洞を低温状態に維持する冷蔵モジュールと、
前記空洞と前記外ケースの間に設置され、前記空洞を加熱して前記低温状態から高温状態に温度上昇させる第１熱供給源と、
それぞれ前記冷蔵モジュールと前記第１熱供給源に電気的にカップリング接続され、始動時間を設定し、前記始動時間に前記冷蔵モジュールと前記第１熱供給源を調整制御する定時始動装置と、
を含むことを特徴とする食品調理装置。
【請求項２】
前記空洞はさらに第２側壁と第３側壁及び頂面を含み、前記頂面はそれぞれ前記第１側壁、前記第２側壁、前記第３側壁の頂縁と連接し、前記第１熱供給源は前記外ケースと前記頂面、前記第２側壁、前記第３側壁との間のうちの１箇所に選択して設置され、前記冷蔵モジュールは前記第１側壁と前記外ケースの間に設置されることを特徴とする請求項1に記載の食品調理装置。
【請求項３】
さらにインターネット信号に接続された信号受信装置を備え、前記インターネット信号によって前記始動時間を受信することを特徴とする請求項1に記載の食品調理装置。
【考案の詳細な説明】
【技術分野】
【０００１】
本考案は定時に始動させて食品を加熱調理することができる食品調理装置に関する。
【背景技術】
【０００２】
科学技術の絶え間ない進歩に伴い、人々が食材を料理するのに便利なように、電子レンジ、オーブン、炊飯器、電子プレート、蒸し器等といった多種類の食品調理装置が世に出ているが、何れも人々の日常生活や飲食の利用分野からは切り離すことができない。
【０００３】
然しながら、食物は常温では腐敗し易く、食物本来の栄養や品質を損なう。
【０００４】
一般の食品調理装置は通常食物を冷蔵或いは冷凍する機能を備えていないことから、食べ物は冷蔵保存状態から料理段階までの過程で、外部の環境汚染を受け易い。
【０００５】
また、現代人は慌しい生活テンポに慣れてしまい、時間の運用面で往々にして分秒を争っており、しかも一日の疲れの後では、食材を準備して料理するための充分な時間や気持ちがない。このため情報化社会での効率や生活の質を追求するといった共通の未来像において、本考案に関する食品調理装置には尚も改善の余地や可能性がある。
【考案の概要】
【考案が解決しようとする課題】
【０００６】
本考案の主な目的は、遠隔又は手動で定時に始動させて食品を加熱調理し、時間の利用効率の最大化を追求することができる食品調理装置を提供することにある。
【０００７】
本考案の別の目的は、冷蔵で鮮度を保つことと多種多様な食品の調理パターンとを兼備した食品調理装置を提供することにある。
【０００８】
本考案の別の目的は、遠隔信号始動装置を有し、ユーザーが帰宅前に予めタイマーを設定して、その設定時間に異なる調理パターンを始動させて食材を料理するのに便利な食品調理装置を提供することにある。
【課題を解決するための手段】
【０００９】
本考案による食品調理装置は、前扉と開口部、第１側壁、底面を有する空洞とを含み、前記開口部の底縁は前記底面に連接し、前記底面は前記開口部の底縁から延伸して前記第１側壁と連接し、前記前扉は前記空洞を密封して前記開口部の側縁と開いて連接する外ケースと、前記空洞と前記外ケースの間に設置され、前記空洞を低温状態に維持する冷蔵モジュールと、前記空洞と前記外ケースの間に設置され、前記空洞を加熱して前記低温状態から高温状態に温度上昇させる第１熱供給源と、それぞれ前記冷蔵モジュールと前記第１熱供給源に電気的にカップリング接続され、始動時間を設定し、前記始動時間に前記冷蔵モジュールと前記第１熱供給源を調整制御する定時始動装置とを含むことを特徴とする。
【図面の簡単な説明】
【００１０】
【図１Ａ】本考案による食品調理装置の好ましい実施形態である。
【図１Ｂ】本考案による食品調理装置の好ましい実施形態である。
【図２Ａ】本考案による食品調理装置の好ましい実施形態である。
【図２Ｂ】本考案による食品調理装置の好ましい実施形態である。
【図２Ｃ】本考案による食品調理装置の好ましい実施形態である。
【図２Ｄ】本考案による食品調理装置の好ましい実施形態である。
【考案を実施するための形態】
【００１１】
図１Ａに示すように、本考案による食品調理装置１００は外ケース２００、前扉３００、空洞４００及び定時始動装置９００を含む。この実施形態では、本考案の食品調理装置１００は同時に冷蔵モジュール並びに異なる種類の熱供給源を設置すると共に、ユーザーが予め食材の処理パターンを設定するのに便利なように定時始動装置９００によって始動時間を設定することができる。
【００１２】
前記定時始動装置９００は前扉３００の上縁に近傍した位置に設置し、ユーザーが操作し易いことを原則とする。またＵＳＢを取り付け、ＵＳＢのジョイントのある定時始動装置９００を外ケース２００又は前扉３００に差し込んで、冷蔵モジュール並びに異なる種類の熱供給源と電気的にカップリング接続する様に、外付け方式で外ケース２００又は前扉３００に接続することもできる。
【００１３】
図１Ｂに示すように、食品調理装置１００は遠隔の信号発射装置９３０に信号接続された信号受信装置９２０を備え、信号発射装置９３０からの設定信号９１０を受信する。定時始動装置９００はそれぞれ冷蔵モジュール５００、第１熱供給源６００、第２熱供給源７００、第３熱供給源８００と電気的にカップリング接続し、定時始動装置９００は始動時間を設定すると共に、始動時間に冷蔵モジュール５００と第１熱供給源６００を調整制御する。この実施形態では、第１熱供給源６００、第２熱供給源７００及び第３熱供給源８００は異なるパターンの加熱モジュールである。冷蔵モジュール５００、第１熱供給源６００、第２熱供給源７００及び第３熱供給源８００は、それぞれ独立した切り替え始動装置Ｘ1、Ｘ2、Ｘ3、Ｘ4を有し、信号受信装置９２０が信号発射装置９３０からの設定信号９１０を受信すると、定時始動装置９００は冷蔵モジュール５００をオフにして、設定信号９１０に基づいて第１熱供給源６００、第２熱供給源７００及び第３熱供給源８００のうちの１つを選択して始動して食材を加熱調理する。その他の実施形態では、設定信号９１０はそれぞれ第１熱供給源６００、第２熱供給源７００及び第３熱供給源８００の異なる始動時間を設定して、特定のタイプの食物を調理することができる。
【００１４】
図２Ａに示すように、外ケース２００内に前扉３００と、開口部４１０、第１側壁４３０及び底面４２０のある空洞４００を設ける。前記開口部４１０の底縁は底面４２０に連接し、底面４２０は開口部４１０の底縁から延伸して第１側壁４３０と連接する。前扉３００は空洞４００を密封し、開口部４１０の側縁と開いて連接して、食材を載置する密閉スペースを形成する。また、冷蔵モジュール５００は食品調理装置１００の外ケース２００と空洞４００との間、前記外ケース２００と第１側壁４３０の間に設置され、空洞４００を摂氏３度から６度の間の低温状態に維持するが、この限りではない。冷蔵モジュール５００は冷熱交換パイプ５２０と互いに接続された冷蔵装置５１０を有し、冷蔵装置５１０内には冷媒を入れ、冷熱交換パイプ５２０の間を往復循環して熱エネルギーを発散させることができる。冷蔵モジュール５００は外ケース２００と空洞４００のその他の側壁の位置に選択して設置することもできる。
【００１５】
図２Ｂに示すように、第１熱供給源６００はマイクロ波装置６１０であって、電熱パイプやその他の電熱素子でもよく、しかも空洞４００と外ケース２００の間に設置して、空洞４００を低温状態から高温状態へ温度上昇させることができる。
【００１６】
図２Ｂ、図２Ｃ及び図１Ｂの実施形態に示すように、空洞４００はさらに第２側壁４４０、第３側壁４５０及び頂面４６０を含み、頂面４６０は底面４２０に対向してそれぞれ第１側壁４３０、第２側壁４４０、第３側壁４５０の頂縁と連接し、第１熱供給源６００は前記外ケース２００と頂面４６０、第２側壁４４０、第３側壁４５０との間のうちの１箇所に選択して設置される。この実施形態では、第１熱供給源６００は外ケース２００と第２側壁４４０との間に設置され、冷蔵モジュール５００は第１側壁４３０と外ケース２００の間に設置される。
【００１７】
図２Ｃに示すように、第２熱供給源７００は金属素材の電熱素子７１０を含み、またその他のマイクロ波装置又は電熱装置をも含む。図２Ｂ及び図２Ｃに示すように、第２熱供給源７００は外ケース２００と頂面４６０、第２側壁４４０、第３側壁４５０との間のうちの１箇所に選択して設置され、空洞４００を加熱して高温状態に温度上昇させる。
【００１８】
図２Ｄに示すように、第３熱供給源８００は貯水装置８１０、蒸し皿８２０及び制御弁８３０を含み、貯水装置８１０は蒸し皿８２０と連接する。定時始動装置９００は設置信号９１０を受信して始動時間を設定し（図１Ｂ参照）、始動時間になると、第３熱供給源８００の制御弁８３０が開いて貯水装置８１０内の貯水を蒸し皿８２０に放出し、加熱して蒸気で空洞４００の温度を上昇させる。第３熱供給源８００は好ましくは外ケース２００と頂面４６０、第２側壁４４０、第３側壁４５０との間のうちの１箇所に選択して設置され、空洞４００を加熱して高温状態に温度上昇させる。
【符号の説明】
【００１９】
１００  食品調理装置
２００  外ケース
３００  前扉
４００  空洞
４１０  開口部
４２０  底面
４３０  第１側壁
４４０  第２側壁
４５０  第３側壁
４６０  頂面
５００  冷蔵モジュール
５１０  冷媒装置
５２０  冷熱交換パイプ
６００  第１熱供給源
６１０  マイクロ波装置
７００  第２熱供給源
７１０  電熱素子
８００  第３熱供給源
８１０  貯水装置
８２０  蒸し皿
８３０  制御弁
９００  定時始動装置
９１０  設定信号
９２０  信号受信装置
９３０  信号発射装置
【図１Ａ】
0003157703.tif 000003
【図１Ｂ】
0003157703.tif 000004
【図２Ａ】
0003157703.tif 000005
【図２Ｂ】
0003157703.tif 000006
【図２Ｃ】
0003157703.tif 000007
【図２Ｄ】
0003157703.tif 000008